(57)【特許請求の範囲】
【請求項１】
底面部の周囲が前方壁、後方壁、及び一対の側方壁に囲まれ、上方が開口した立体部と、
前記立体部の上方の開口を覆うように着脱可能に設けられ、着席可能な着座部を有する蓋部と、
前記前方壁に形成された開口部から前記立体部の内部に収納可能であり、前記立体部の内部から摺動することにより、進退が可能な第１収納部、及び第２収納部と、
を備え、
前記底面部には、前記底面部と略同じ大きさの板状部（２）が上面に着脱可能に設置され、
前記底面部における前記板状部（２）の上には、前記第１収納部が収納され、
前記立体部において、前記前方壁、後方壁、及び一対の側方壁の少なくとも１つ以上から突出し、前記第２収納部を底面側から支持可能な柔軟な素材で形成された支持部（６ａ、６ｂ、６ｃ、６ｄ）が設けられており、
前記支持部（６ａ、６ｂ、６ｃ、６ｄ）の上側に、前記底面部と略同じ大きさの板状部（３）が設置され、
前記支持部（６ａ、６ｂ、６ｃ、６ｄ）によって支持された前記板状部（３）の上に、前記第２収納部が収納され、
前記板状部（２，３）には、設置状態における上面側に、前記開口部の横方向における縁部に、内側が略一致するように前後方向に延設され、前記第１収納部が摺動する際に当接するガイド部が形成されており、
前記底面部の素材は、変形可能な柔軟な素材で形成されており、
一対の前記側方壁は、上下に折り目が形成されており、前記第１収納部、第２収納部及び前記板状部（２，３）が取り外された状態において、折り目に沿って当該側方壁を前記立体部の内部に向かって折りたたむと、前記底面部が変形して、前記前方壁と前記後方壁とが重なるように折りたたまれることが可能であり、
前記支持部（６ａ、６ｂ、６ｃ、６ｄ）は、前記側方壁が折り畳まれる際には、折り畳みに伴う変形を阻害しないように、変形可能である
ことを特徴とする折り畳み式スツール。
【請求項２】
前記支持部（６ａ、６ｂ、６ｃ、６ｄ）は複数設けられ、前記前方壁、後方壁、及び一対の側方壁のいずれかに対して取り付けられており、前記前方壁、後方壁、及び一対の側方壁から前記立体部の内部に向けて突出する突出状態と、当該支持部（６ａ、６ｂ、６ｃ、６ｄ）が取り付けられている前記前方壁、後方壁、及び一対の側方壁のいずれかに対して同一平面上に重なった面一となっている平面状態とを変移可能な可動部として前記支持部（６ａ、６ｂ、６ｃ、６ｄ）は機能し、
前記支持部（６ａ、６ｂ、６ｃ、６ｄ）は前記側方壁が折り畳まれる際には、折り畳みに伴って前記平面状態となる
ことを特徴とする請求項１に記載の折り畳み式スツール。
【請求項３】
前記支持部（６ａ、６ｂ、６ｃ、６ｄ）は、複数の矩形状のファスナー部によって構成され、
前記ファスナー部は、
前記前方壁、後方壁、及び一対の側方壁のいずれかの縁部に一端が固定されるとともに、他端に面ファスナーが形成され、当該ファスナー部が取り付けられた壁と隣接する壁の縁部において同様に取り付けられた別の前記ファスナー部と、前記面ファスナー同士が結合された状態で、取り付けられた壁に対して略直行して前記突出状態となる
ことを特徴とする請求項２に記載の折り畳み式スツール。
【請求項４】
前記第１収納部、及び第２収納部は、前後方向が横方向よりも長く形成されているとともに、底面の素材が変形可能な柔軟な素材で形成されており、前記第１収納部、及び第２収納部の一対の側壁において、前記第１収納部、及び第２収納部を中心に対して点対称であって、前後方向中央の位置よりも前後何れか側に偏移した位置に、折り目が形成されており、
折り目に沿って当該側壁を前記第１収納部、及び第２収納部の内部に向かって折りたたむと、底面が変形して、折りたたまれることが可能である
ことを特徴とする請求項１〜３のいずれか一項に記載の折り畳み式スツール。
【請求項５】
前記第１収納部、及び第２収納部の底面には、底面と同一形状であって、底面よりも硬質な素材で形成された補強部材が設置されてなり、前記補強部材の縁部から、延設された取っ手部が設けられてなる
ことを特徴とする請求項４に記載の折り畳み式スツール。
【請求項６】
前記蓋部は、内部に空間を有しており、折りたたまれた前記第１収納部、及び第２収納部、及び前記立体部を収納可能である
ことを特徴とする請求項４、又は５に記載の折り畳み式スツール。
【発明の詳細な説明】
【技術分野】
【０００１】
本発明はスツールに関する。さらに詳しくは折り畳み式のスツールに関する。
【背景技術】
【０００２】
従来の折り畳み式の椅子とは、構築物に凹部となるようスペースを確保してそこに折り畳む形で椅子を収納し、また椅子として使用したい時にはそれを引き出し、ボルトとナット等で固定する、といったものであった。例えば特許文献１で示されるように、折り畳み式の椅子は、構築物に設けられた格納凹部に固定されるベース部材と、そのベース部材に一端が回転自在に連結された座板取り付けアームと、座板取り付けアームに取り付けられた座板と、座板取り付けアームの他端が回動自在に連結された脚体とから構成される。そして、折り畳み式の椅子は、座板取り付けアームが回動して座板凹部に収納される収納状態と、座板がほぼ水平になり脚体が床につく引き出し状態、つまり椅子として使用できる状態と、に変化をするものであった。
【先行技術文献】
【特許文献】
【０００３】
【特許文献１】特開２００５−１７７４３９号公報
【発明の概要】
【発明が解決しようとする課題】
【０００４】
以上に述べた従来の折り畳み式椅子では、折り畳んだ状態の椅子を収納するスペースを予め構築物に凹部状に確保しなければならず、一度その場所に設置したならば、構築物の凹部状スペースを移動させない限り、椅子を使用できる場所はそこに限定される。また、折り畳んだ状態から椅子として使用できる状態にするには、ボルトとナット等を用いて固定させる必要があり容易な作業ではない点、問題があった。
【０００５】
本発明は上記事情に鑑み、構築物の如何に関係なくまた椅子として使用できる場所を極度に限定せず、折り畳んだ状態と使用できる状態とを容易な作業により変化させることができ、さらには引き出しなどの収納スペースの設置が可能であり、その取り付け作業も容易である折り畳み式スツールの提供を目的とする。
【課題を解決するための手段】
【０００６】
第一発明の折り畳み式スツールは、底面部の周囲が前方壁、後方壁、及び一対の側方壁に囲まれ、上方が開口した立体部と、前記立体部の上方の開口を覆うように着脱可能に設けられ、着席可能な着座部を有する蓋部と、前記前方壁に形成された開口部から前記立体部の内部に収納可能であり、前記立体部の内部から摺動することにより、進退が可能な第１収納部、及び第２収納部とを備え、前記底面部には、前記底面部と略同じ大きさの板状部が上面に着脱可能に設置され、前記底面部における前記板状部の上には、前記第１収納部が収納され、前記立体部において、前記前方壁、後方壁、及び一対の側方壁の少なくとも１つ以上から突出し、前記第２収納部を底面側から支持可能な柔軟な素材で形成された支持部が設けられており、前記支持部の上側に、前記底面部と略同じ大きさの板状部が設置され、前記支持部によって支持された前記板状部の上に、前記第２収納部が収納され、前記板状部には、設置状態における上面側に、前記開口部の横方向における縁部に、内側が略一致するように前後方向に延設され、前記収納部が摺動する際に当接するガイド部が形成されており、前記底面部の素材は、変形可能な柔軟な素材で形成されており、一対の前記側方壁は、上下に折り目が形成されており、前記第１収納部、第２収納部及び前記板状部が取り外された状態において、折り目に沿って当該側方壁を前記立体部の内部に向かって折りたたむと、前記底面部が変形して、前記前方壁と前記後方壁とが重なるように折りたたまれることが可能であり、前記支持部は、前記側方壁が折り畳まれる際には、折り畳みに伴う変形を阻害しないように、変形可能であることを特徴とする。
【０００８】
第二発明の折り畳み式スツールは、請求項１記載の発明において、前記支持部は複数設けられ、前記前方壁、後方壁、及び一対の側方壁のいずれかに対して取り付けられており、前記前方壁、後方壁、及び一対の側方壁から前記立体部の内部に向けて突出する突出状態と、当該支持部が取り付けられている前記前方壁、後方壁、及び一対の側方壁のいずれかに対して同一平面上に重なった面一となっている平面状態とを変移可能な可動部であり、前記側方壁が折り畳まれる際には、折り畳みに伴って前記平面状態となることを特徴とする。
【０００９】
第三発明の折り畳み式スツールは、請求項２記載の発明において、前記支持部は、複数の矩形状のファスナー部によって構成され、前記ファスナー部は、前記前方壁、後方壁、及び一対の側方壁のいずれかの縁部に一端が固定されるとともに、他端に面ファスナーが形成され、当該ファスナー部が取り付けられた壁と隣接する壁の縁部において同様に取り付けられた別の前記ファスナー部と、前記面ファスナー同士が結合された状態で、取り付けられた壁に対して略直行して前記突出状態となることを特徴とする。
【００１０】
第四発明の折り畳み式スツールは、請求項１乃至請求項３記載のいずれか一項の発明において、前記第１収納部、及び第２収納部は、前後方向が横方向よりも長く形成されているとともに、底面の素材が変形可能な柔軟な素材で形成されており、前記第１収納部、及び第２収納部の一対の側壁において、前記第１収納部、及び第２収納部を中心に対して点対称であって、前後方向中央の位置よりも前後何れか側に偏移した位置に、折り目が形成されており、折り目に沿って当該側壁を前記第１収納部、及び第２収納部の内部に向かって折りたたむと、底面が変形して、折りたたまれることが可能であることを特徴とする。
【００１１】
第五発明の折り畳み式スツールは、請求項４記載の発明において、  前記第１収納部、及び第２収納部の底面には、底面と同一形状であって、底面よりも硬質な素材で形成された補強部材が設置されてなり、前記補強部材の縁部から、延設された取っ手部が設けられてなることを特徴とする。
【００１２】
第六発明の折り畳み式スツールは、請求項４又は請求項５記載の発明において、前記蓋部は、内部に空間を有しており、折りたたまれた前記第１収納部、及び第２収納部、及び前記立体部を収納可能であることを特徴とする。
【発明の効果】
【００１３】
第１の発明では、椅子として使用したい時の設置場所に限定されることなく、さらにはこの使用できる状態においては収納スペースまでをも持ち合わせ、また折り畳んだ状態と使用できる状態とを容易な作業により変化させることができる
【図面の簡単な説明】
【００１４】
【図１】第１の実施形態に係る本折り畳み式スツールの外観を表したものである。
【図２】第１の実施形態に係る本折り畳み式スツールの各構成要素を表す斜視図である。
【図３】第１の実施形態に係る本折り畳み式スツールの右方向側面の断面図である。
【図４】第１の実施形態に係る本折り畳み式スツールの支持部が収納部を支える状態を表した正面断面図である。
【図５】第１の実施形態に係る本折り畳み式スツールの立体部及び収納部の折り畳まれ方を示した説明図である。
【図６】第１の実施形態に係る本折り畳み式スツールを折り畳んで収納する際の手順を示した説明図である。
【発明を実施するための形態】
【００１５】
以下、本発明の実施形態について図面を参照にして説明する。
図１は本実施形態における折り畳み式スツール２０について、椅子として使用できる状態に組み立てた左側上方向からの外観を表した斜視図である。大まかに立体部１、蓋部５、収納部１０を示すものである。
【００１６】
図２は、本実施形態における各構成要素を示したものである。（ａ）は収納部を、（ｂ）は立体部と板状部を、（ｃ）は各構成要素を組み合わせた全体像を示すものである。本折り畳み式スツール２０は、立体部１、板状部２、３、４、蓋部５、支持部６、７、収納部１０を備える。
【００１７】
立体部１は、底面部１Ｅ、前方壁１Ａ、後方壁１Ｂ、一対の側方壁１Ｃ、１Ｄに囲まれ、上方が開口している。なお本実施形態では、この立体部を立方体としているが、直方体であってもよい。
【００１８】
前方壁１Ａは、開口部１Ｆを有する。また立体部１は、開口部１Ｆから立体部１の内部に収納スペースを有しており、それは収納部１０によって作り出される空間である。収納部１０は立体部１の内部から摺動されることにより進退が可能である。
【００１９】
蓋部５は、立体部１の上方の開口を覆うように着脱自在であり、着席可能な着座部５ａを有する。
【００２０】
支持部６、７は、立体部１における前方壁１Ａ、後方壁１Ｂ、及び一対の側方壁１Ｃ、１Ｄの少なくとも１つ以上から突出し、収納部１０を底面側から支持することを可能としている。本実施形態では支持部６は、６ａ、６ｂ、６ｃ、６ｄの４つの突出から、支持部７は、７ａ、７ｂ、７ｃ、７ｄの４つの突出から成る状態を示している。
また、支持部６、７は前方壁１Ａが折り畳まれる際には、立体部１の折り畳みに伴う変形を阻害しないように変形可能であり、柔軟な素材で形成されている
【００２１】
板状部２、３、４は、立体部１の底面部１Ｅとほぼ同じ大きさであり、支持部６、７の上側に設置される。また板状部２、３は設置状態における上面側に、前方壁開口部１Ｆの横方向における縁部に、内側がほぼ一致するように前後方向に延設されたガイド部２ａ、２ｂ、３ａ、３ｂを有している。これは収納部１０が摺動する際にガイド部２ａ、２ｂ、３ａ、３ｂに当接することにより正しい位置へと収納されることを可能とするためである。さらには、本実施形態ではこの板状部２、３、４の４辺のうちのいずれか１以上の縁部から延設された取っ手部２ｃ、３ｃ、４ｃが設けられている。折り畳む際の板状部２、３、４の立体部１からの取り出し作業を容易たらしめる為である。
【００２２】
底面部１Ｅの素材は変形可能な柔軟な素材から成る。  
【００２３】
収納部１０は、その収納スペース部分である１０Ａ，１０Ｂと、その収納部１０の底面に、底面部と同一形状であって底面よりも硬質な素材で形成された補強部材１０ａ、１０ｂとで構成される。この補強部材１０ａ、１０ｂの縁部には延設された取っ手部分が設けられている。収納部１０を折り畳む際の取り出し作業を容易たらしめる為である。
【００２４】
また側方壁１Ｃ、１Ｄにはそれぞれ上下に折り目８ａ、８ｂが形成されている。これは、収納部１０及び板状部２、３、４が取り外された状態において、折り目８ａ、８ｂに沿って前方壁１Ａを立体部１の内部に向かって折り畳んだ際に、底面部１Ｅが変形して、前方壁１Ａと後方壁１Ｂとが重なるように折り畳まれることを可能とする為である。なお、本実施形態では、折り目８ａ、８ｂの位置は、立体部１の前後方向の略中央の位置に設けられているが、これは立体部が正方形の立体のためであり、立体部の形状に応じて、適宜位置を変更するのが望ましい。
【００２５】
図３は、椅子として使用できるように組み立てた状態の本折り畳み式スツールの右側面の断図を示したものである。図３（ａ）のように、補強部材１０ａがその底面に設置された収納部１０Ａは、立体部１の底面部１Ｅの上面に着脱可能に設置された板状部２の上側ガイド部２ａ、２ｂ（図２（ｂ）及び（ｃ）参照）に沿って、立体部１の内部に収納される。支持部６ａ、６ｂの上側には板状部３が設置される。収納部１０Ａと同様に、補強部材１０ｂがその底面に設置された収納部１０Ｂは、板状部３の上側ガイド部３ａ、３ｂ（図２（ｂ）及び（ｃ）参照）に沿って立体部１の内部に収納される。そのさらに上段の支持部７ａ、７ｂの上側にさらに板状部４を設置する。これらの手順で立体部１の内部に収納スペースが形成された状態を表したのが図３（ｂ）である。ここでは収納部１０が設置されたことにより、収納スペース１５Ａ、１５Ｂが形成され、また板状部４の上側にも蓋部までの間に収納スペース１５Ｃが形成されている。また図３（ｂ）では、収納部１０Ａ、１０Ｂが摺動可能であることを示している。本実施形態では、２つの収納部１０Ａ、１０Ｂを設置し、板状部２、３、４を設置しものを示しているが、収納部１０Ｂ及び板状部３、４のみの設置で請求項１記載の本折り畳み式スツールの実施は成り立つものである。
【００２６】
図４は支持部が板状部を支持する状態を示した正面断面図である。本実施形態では、支持部６ｂ、６ｄは一対の側方壁１Ｃ及び１Ｄの後方壁方向縁部にそれぞれ１つずつ突出された状態を示すものである。例えば板状部３を設置する際には、図４（ａ）のように突出していない状態の支持部６ｂ及び６ｄを、図４（ｂ）に示す突出状態にすると、図（ｃ）のように板状部３を支持することが可能となる。例えば、前方壁１Ａ（図２参照）と側方壁１Ｃ（図２参照）からのそれぞれの支持部を、底面部１Ｅからの高さが略同一の、隣り合う位置の縁部に設置した場合、組み立てた際に重なり合うそれぞれの支持部の係合面についてマジックテープ等を用いるならば、それら２つの重なりで一体化した支持部６ａ、７ａ（図２（ｂ）参照）はよりしっかりと板状部３、４を支えられることとなり、組み立て作業についてもより容易となる。
またこの支持部は、立体部１の開口部と対向する立体部１の四角において、立体部１の内部に向けて突出する突出状態と、立体部１のそれぞれの壁に対して面一となっている平面状態とを変移可能な可動部であり、前方壁１Ａが折り畳まれる際には折り畳みに伴って平面状態となることも可能な支持部の設置も可能である。さらには、隣接する壁のそれぞれの縁部に一端が固定されるとともに、他端の面ファスナーが形成された一対のファスナー部同士が壁に対して略直行する位置で結合されることによって突出状態となるようなものであってもよい。
【００２７】
図５上段の（ａ）から（ｃ）にかけてが立体部１について、下段の図５（ａ）から（ｃ）にかけてが収納部１０Ａについて、それぞれが折り畳まれる手順を示した説明図である。まず、上段の立体部１についての手順をみてみると、図５（ａ）に示す立体部１の側方壁１Ｃと側方壁１Ｄとをそれぞれの折り目８ａと８ｂとに沿って立体部１の内側に向かって図５（ｂ）に示す方向に押し込むようにすると、図５（ｃ）のように前方壁１Ａと後方壁１Ｂとが重なるように折り畳まれる。
また、下段の収納部１０Ａにおける本実施形態は、前後方向が横方向よりも長く形成されているとともに、底面の素材が変形可能な柔軟な素材で形成されている。その側壁においては、収納部１０Ａを中心に対して点対称であって、前後方向中央の位置よりも前後何れか側に偏移した位置に折り目１０ｃ、１０ｄが形成されている。この折り目に沿って収納部１０Ａの側壁を収納部１０Ａの内部に向かって図５（ｂ）に示す矢印方向に押し込むようにすると、底面が変形し収納部１０Ａは図５（ｃ）のように完全に折り畳まれることとなる。上記は収納部１０Ｂについても同様である。
【００２８】
図６は、上述の立体部１及び収納部１０を含めた本折り畳み式スツールの全体の折り畳みの手順を示した説明図である。蓋部５は、内部に空間を有している。この空間に、折り畳まれた立体部１、折り畳まれた収納部１０Ａ、１０Ｂ、補強部材１０ａ、１０ｂ、板状部２、３、４を収納することが可能である。
【００２９】
以上に示した本実施形態にあっては、以下のような効果を得ることができる。すなわち、折り畳んだ状態と使用できる状態とを容易な作業により変化させることができ、さらには引き出しなどの収納スペースの設置が可能であり、その取り付け作業も容易である。また、本折り畳み式スツールは設置可能な場所が極度に限定されることはなく、折り畳んだ状態では非常にコンパクトである。その収納スペースは、１つのみであってもそれ以上であっても構造上の問題を生じない。
また、組み立て時における板状部を支える支持部は、突出状態と平面状態とに変移可能であるから、折り畳む際に邪魔にならない。さらにはその支持部について、隣接する壁のそれぞれの縁部に一端が固定され、他端に面ファスナーが形成された一対のファスナー部同士が壁に対し直行する形で結合できるならば、その結合作業はより容易となる。
他、収納部の形状は正方形に限定されることなく、長方形であっても折り目の設定位置を変更することにより、コンパクトな折り畳みに影響を及ぼさない。
そして、収納部の底面を硬質な素材の補強部材を設置することで、形の崩れにくい収納スペースができ、その縁部から延設された取っ手部を設けることで、折り畳む際の補強部材の取り出し作業が容易となる。
また、蓋部に内部空間を設けることにより、折り畳まれた収納部等の構成要素の収納が可能となる。
【符号の説明】
【００３０】
１                                    立体部
１Ａ、１Ｂ、１Ｃ、１Ｄ、１Ｅ、１Ｆ    立体部を構成する各要素
２、３、４                            板状部
２ａ、２ｂ、３ａ、３ｂ                ガイド部
２ｃ、３ｃ、４ｃ                      板状部の取っ手部
５                                    蓋部
６ａ、６ｂ、６ｃ、６ｄ、７ａ、７ｂ、７ｃ、７ｄ  支持部
８ａ、８ｂ                            折り目
１０                                  収納部
１０ａ、１０ｂ                        補強部材
１０ｃ、１０ｄ                        折り目
１５Ａ、１５Ｂ、１５Ｃ                収納スペース
【図１】
0006018264.tif 000002
【図２】
0006018264.tif 000003
【図３】
0006018264.tif 000004
【図４】
0006018264.tif 000005
【図５】
0006018264.tif 000006
【図６】
0006018264.tif 000007